(57)【要約】      （修正有）【課題】体液をすばやく拡散させて吸収体全体を有効活用する吸収性物品を提供する。【解決手段】液透過性の表面シート１４と、液不透過性の裏面シートと、前記表面シートと前記裏面シートとの間に配され、パルプ繊維とＳＡＰとを含む吸収体１３とを有する吸収性物品であって、前記吸収性物品の前記表面シート側は、平坦部と、前記表面シートと前記吸収体とを一体的に接合した複数の凹部とを含み、前記複数の凹部は、前記平坦部を複数の平坦区画２４に仕切って液体を通す複数の流路２１を形成し、前記仕切られた平坦区画２４の面積は、０．５ｃｍ２以上であることを特徴とする吸収性物品。【選択図】図４
2016106992.tif 000002
【特許請求の範囲】
【請求項１】
液透過性の表面シートと、液不透過性の裏面シートと、前記表面シートと前記裏面シートとの間に配され、パルプ繊維とＳＡＰとを含む吸収体とを有する吸収性物品であって、
前記吸収性物品の前記表面シート側は、平坦部と、前記表面シートと前記吸収体とを一体的に接合した複数の凹部とを含み、
前記複数の凹部は、前記平坦部を複数の平坦区画に仕切って液体を通す複数の流路を形成し、
前記仕切られた平坦区画の面積は、０．５ｃｍ２以上であることを特徴とする吸収性物品。
【請求項２】
前記流路の液透過性は、前記平坦部の液透過性よりも低いことを特徴とする請求項１に記載の吸収性物品。
【請求項３】
前記吸収体における単位面積あたりのＳＡＰ量は１００ｇ／ｃｍ２以上であることを特徴とする請求項１または２に記載の吸収性物品。
【請求項４】
前記流路の幅は、１．０ｍｍ以上６．０ｍｍ以下であることを特徴とする請求項１ないし３のいずれかに記載の吸収性物品。
【請求項５】
前記平坦区画の面積は、０．５ｃｍ２以上５０．０ｃｍ２以下であることを特徴とする請求項１ないし４のいずれかに記載の吸収性物品。
【請求項６】
前記複数の流路は、間欠的または連続的に格子状に延びていることを特徴とする請求項１ないし５のいずれかに記載の吸収性物品。
【請求項７】
前記流路は、前記表面シートと前記吸収体とを共に圧縮して形成されていることを特徴とする請求項１ないし６のいずれかに記載の吸収性物品。
【請求項８】
前記吸収性物品が前身頃、股下、後身頃にわたって延在する大きさの使い捨ておむつであることを特徴とする請求項１ないし７のいずれかに記載の吸収性物品。
【発明の詳細な説明】
【技術分野】
【０００１】
本発明は、吸収性物品に関し、特に、使い捨ておむつに関する。
【背景技術】
【０００２】
使い捨ておむつ（以下、単に「おむつ」とも言う）等の吸収性物品においては、さまざまな改良が行われ、その機能や着用感の向上が図られている。
【０００３】
吸収性物品は、吸収体によって排出された体液のほとんどを吸収する。例えば、おむつは、腹、尻及び股部分を覆うものであるので、歩行や寝返り、赤ちゃんのハイハイなどのさまざまな体、特に脚の動きの影響を受ける。特に、吸収体は、体のさまざまな動きによって、よれたり、折れたり、割れたりする場合がある。そうすると、股間へのフィット性が低下し、液漏れを起こしやすくなる。このため、フィット性を維持するために、例えば、特許文献１に見られるように、吸収体の非肌当接面側に、エンボス加工がなされたものがある。このように、吸収体にエンボス加工を施すことにより、吸収体の剛性が強化され、体の動きによって加わる力に対して、吸収体がよれにくく、割れにくくなる。
【０００４】
一方、使い捨ておむつの吸収体は、着用者の股下全体にわたって位置するが、排尿の際には、尿は排尿部位付近から、表面シートや吸収体を伝って拡散される。その拡散性を促すために、特許文献２には、吸収体の股間部分に、吸収体の長手方向に沿った２本の凹部を設け、この凹部によって尿を拡散させる点が記載されている。
【先行技術文献】
【特許文献】
【０００５】
【特許文献１】特開２０１４−６９００２号公報
【特許文献２】特開２０１２−１４３５３５号公報
【発明の概要】
【発明が解決しようとする課題】
【０００６】
一般的に使い捨ておむつは、自身の力ではトイレでの排泄行為ができない赤ちゃんや高齢者など、介助を必要する人に着用されることが多い。したがって、使い捨ておむつの交換は、着用者本人の意思でなされるだけでなく、介護者の判断によってなされる場合も多い。赤ちゃんの親や介護者など、着用者本人以外の者は、おむつが尿を吸って膨らみ、盛り上がっているのを見たり触ったりして交換する。
【０００７】
また、おむつは、吸収体にパルプと高吸水性樹脂（Ｓｕｐｅｒ  Ａｂｓｏｒｂｅｎｔ  Ｐｏｌｙｍｅｒ、以下「ＳＡＰ」とも言う）とを混合したものを用いている場合が多く、ＳＡＰの影響により、尿を吸った後は膨らみやすい。
【０００８】
特許文献１に開示されているもののように、吸収体の肌当接面側には、液拡散の工夫がなされていない場合、尿が吸収体全体にすばやく拡散されず、排尿部位付近に留まってしまう場合も多かった。この場合、少量の尿、例えば、一回の排尿であっても、吸収体の排尿部位が盛り上がり、交換されることとなる。したがって、吸収体全体が有効利用されずに、捨てられてしまうこととなる。
【０００９】
また、特許文献２に開示されているもののように、尿の吸収体上での拡散を促すための凹部を吸収体の肌当接面側に設けたとしても、吸収体のみの圧搾で形成された凹部であるため、起き上がった時など着用者の体重が加わることにより、凹部がつぶれてしまうことがあった。また、凹部がつぶれなくても、凹部の壁面付近の吸収体が液（尿）を吸うと、大きく膨らみ、凹部が狭くなって隣接する吸収体へ拡散しにくくなり、尿が排尿部位付近からあまり移動しない。
【００１０】
したがって、おむつの交換者は、まだおむつが尿を吸収できる状態であるにも関わらず、排尿部位付近が膨らんでいるので交換することになる。吸収体全体を有効に活用することができずに、おむつを捨てることになり不経済である。
【００１１】
また、仮に、交換者がおむつの排尿部位付近の状態を見たり触ったりして交換しなかったとしても、水分を吸収して膨らんだ吸収体は、乾いている時以上によれたり、割れやすくなる。したがって、１回目の排尿で尿が拡散されずに排尿部位付近の吸収体が大きく膨らむと、その後の体の動きで吸収体が割れてしまう場合がある。割れたところに、さらに排尿されると、割れ目から尿が流れ出て、液漏れを起こす場合がある。
【００１２】
本発明は、体液をすばやく拡散させて吸収体全体を有効活用する吸収性物品を提供することを課題とする。
【課題を解決するための手段】
【００１３】
本発明の吸収性物品は、液透過性の表面シートと、液不透過性の裏面シートと、表面シートと裏面シートとの間に配され、パルプ繊維とＳＡＰとを含む吸収体とを有する吸収性物品であって、吸収性物品の表面シート側は、平坦部と、表面シートと吸収体とを一体的に接合した複数の凹部とを含み、複数の凹部は、平坦部を複数の平坦区画に仕切って液体を通す複数の流路を形成し、仕切られた平坦区画の面積は、０．５ｃｍ２以上であることを特徴とする。
【００１４】
また、流路の液透過性は、平坦部の液透過性よりも低い。
【００１５】
加えて、吸収体における単位面積あたりのＳＡＰ量は１００ｇ／ｃｍ２以上である。
【００１６】
流路の幅は、１．０ｍｍ以上６．０ｍｍ以下であるのが好ましい。
【００１７】
平坦区画の面積は、０．５ｃｍ２以上５０ｃｍ２以下であるのが好ましい。
【００１８】
複数の流路は、間欠的または連続的に格子状に延びていてもよい。また、表面シートと吸収体とを共に圧縮して形成されていてもよい。
【００１９】
また、この吸収性物品は、前身頃、股下、後身頃にわたって延在する大きさの使い捨ておむつであってもよい。
【発明の効果】
【００２０】
本発明の吸収性物品は、一度に比較的多量の体液が排出された時でも、すばやく拡散させるとともに、吸収し、吸収体全体を有効に使用することができる。
【図面の簡単な説明】
【００２１】
【図１】本発明による吸収性物品を展開型使い捨ておむつに応用した一実施形態の外観を示す立体投影図である。
【図２】図１に示したおむつを着用した下半身を背中側から見た立体投影図である。
【図３】図１に示したおむつを展開して分解状態で示す立体投影図である。
【図４】図１に示したおむつの吸収部分をトップシート側から見た部分上面図である。
【図５】図４に示す部分上面図の流路部分を拡大した拡大部分上面図である。
【図６】図５のＶＩ−ＶＩ線での断面図である。
【図７】図５のＶＩＩ−ＶＩＩ線での断面図である。
【図８】流路配列パターンの他の例を示す図である。
【図９】流路配列パターンの他の例を示す図である。
【図１０】おむつの他の例を示す図５におけるＶＩ−ＶＩ線と同様の切断線での断面図である。
【発明を実施するための形態】
【００２２】
本発明による吸収性物品の実施形態について、図１から図１０を参照しながら詳細に説明する。
【００２３】
本発明をパンツ型使い捨ておむつに応用した実施形態１の外観において、正面側から見た斜視図を図１に示し、背面側から見た斜視図を図２に示す。図２は、この展開型使い捨ておむつを乳幼児が着用した際の背中側から見た下半身姿を示すものである。さらに、図１，図２に示す展開型使い捨ておむつを破断展開した分割状態にて図３に示す。
【００２４】
本実施形態における展開型使い捨ておむつ（以下、単に「おむつ」と記述する場合がある）１０は、前身頃領域１０Ｆと、後身頃領域１０Ｒと、これら前身頃領域１０Ｆおよび後身頃領域１０Ｒをつなぐ股下領域１０Ｃとを有する。また、着用時に前身頃領域１０Ｆと後身頃領域１０Ｒとで着用者のウエストの部分を取り囲むウエスト周り開口部１０Ｗが形成されている。同様に、前身頃領域１０Ｆおよび後身頃領域１０Ｒの下端部股下領域１０Ｃとで着用者の両脚の太股部分を取り囲む左右一対の脚周り開口部１０Ｌが形成されている。
【００２５】
図２に示すように、着用時に前身頃領域１０Ｆは、着用者の腹側に位置し、後身頃領域１０Ｒは着用者の背側に位置する。そして、股下領域１０Ｃは、着用者の股下を覆い、左右一対の脚周り開口部１０Ｌに、着用者の脚がそれぞれ通された形となる。したがって、脚周り開口部１０Ｌは、着用者の両脚の付け根から太ももあたりのいずれかに位置することとなる。
【００２６】
おむつを適正な向きで着用した際に、着用者の頭から股下への体の中心軸に沿う線を仮想線Ｐとして、必要に応じ、以下の説明で用いる。図１及び図２に示すように、仮想線Ｐは、おむつ中央部において腹側から背側に向かって、股下部分を通って延びるものである。具体的には、仮想線Ｐは、例えば、おむつのウエスト側を上、股下側を下とすると、おむつ表面に沿って、かつ上下方向に延びると共に、股下部分を経由して、背側においても上下方向に延びるものである。
【００２７】
おむつの外側に位置するカバーシート１１の後身頃領域１０Rの左右両端縁部には、着用時に前身頃領域１０Ｆの左右両端縁部に重ね合わせてこれらをつなぎ、脚周り開口部１０Ｌを形成し得る左右一対のファスニングテープ１０Ａが接合されている。このファスニングテープ１０Ａは、前身頃領域１０Ｆのカバーシート１１上に接合されたフロントパッチシート１０Ｂに対して繰り返し剥離可能に接合される。また、カバーシート１１の後身頃領域１０Ｒの上端部には、カバーシート１１の幅方向に沿って延在し、着用者に対してウエスト周りに適度な着用感を与えるための弾性シート１０Ｄが接合されている。
【００２８】
図３に示すように、本実施形態におけるおむつ１０は、外側から順にカバーシート１１と、バックシート１２と、吸収体１３と、着用者の肌に触れるトップシート１４とを順に重ねて接合したものである。カバーシート１１の股下領域１０Ｃの左右両側には、それぞれ脚周り開口部１０Ｌとなる半円弧状をなす一対の切欠き部１１Ａが形成されている。液不透過性のバックシート１２は、このインナーカバーシート１１Ｂに接合され、先の吸収体１３は、このバックシート１２と液透過性のトップシート１４との間に配され、この吸収体１３を介してトップシート１４がバックシート１２に接合される。良好な手触りを得るために薄い不織布にて形成されるアウターカバーシート１１Ｃとインナーカバーシート１１Ｂとの間には、脚周りギャザーを形成するための糸ゴム１５がそれぞれ伸長状態で接合されている。
【００２９】
図４は、おむつ１０の股下部分を、トップシート１４側から見た部分上面図である。
【００３０】
なお、この図において示す部分、すなわち、おむつ１０におけるトップシート１４と吸収体１３とを合わせて、「吸収部分」とも言う。
【００３１】
トップシート１４の下に位置する本実施形態の吸収体１３は、主にパルプと高吸水性樹脂（ＳＡＰ）とからなるものである。本実施形態における吸収体１３は、単位面積あたりのパルプ量が１８５ｇ／ｍ２で、ＳＡＰ量が２２８ｇ／ｍ２である。吸収体重量（パルプとＳＡＰの合計重量）におけるＳＡＰ重量比率が、２０％以上８０％以下となるように、パルプとＳＡＰを混合するのが好ましい。ＳＡＰは、パルプ量を増やすことなく、液体吸収量を増すことができるため、ＳＡＰを入れることにより、薄い吸収体１３で多量の液を吸収することができる。しかしながら、ＳＡＰ量が多すぎると、液を吸って膨張したＳＡＰ同士が結合して生まれるゲルブロックが発生しやすくなり、好ましくない。逆にＳＡＰ量が少なすぎると、液の吸収可能量が低下するため、液漏れを起こしやすくなる。
【００３２】
吸収体１３は、前身頃、股下、後身頃にわたるように、細長い形状をしている。そして、前身頃部分Ｍ１、股下部分Ｍ２、後身頃部分Ｍ３に三区分されている。股下部分Ｍ２には、両脚の太股部分を取り囲む左右一対の脚周り開口部１０Ｌに合わせて、円弧状をなす一対の切欠き部１３Ａが形成されている。なお、この切欠き部１３Ａは、吸収体１３の大きさに応じて形成しなくてもよい。また、本実施形態の吸収体１３は、切欠き部１３Ａが設けられており、中央部の幅が前後端に比べて狭い砂時計型のものであるが、本発明の吸収体の形状はこれに限らない。前身頃部分から後身頃部分を前後（上下）方向とし、それに直交する方向を左右方向とすると、例えば、前後（上下）端の角が丸く落とされているもの、前後（上下）に延びる楕円形のもの、円形のもの、前後（上下）左右の長さが同程度の矩形のものなど、さまざまな形状を含む。
【００３３】
さて、本実施形態のおむつ１０は、排出された尿などの体液をすばやく排出位置から拡散させるために、もともと平坦部である吸収部分にエンボス加工による流路２１を形成し、この流路２１によって平坦部を複数の平坦区画２４に仕切っている。
【００３４】
流路２１は、トップシート１４表面から吸収体１３に向かって圧搾した凹部を配列して形成されたものであり、吸収部分全域に斜め格子状に延びている。
【００３５】
流路２１は次のような構造となっている。
【００３６】
図５に示すように、幅Ｑ１の流路２１は、複数の凹部２２を配列して形成されている。凹部２２は、トップシート１４表面から、トップシート１４と吸収体１３とを共に圧搾することにより形成されている。図６に示すように、凹部２２の押し下げに伴い、周囲の吸収部分も押し下げられ、エンボスパターンがない平坦区画（以下、「主吸収領域」とも言う）２４よりも凹んだ空間２３となる。したがって、凹部２２を一定間隔で形成することにより、凹部２２と凹んだ空間２３とによる流路２１が形成されることとなる。
【００３７】
凹部２２は、トップシート１４と吸収体１３との間に接着剤を介在させて、トップシート１４表面からトップシート１４と吸収体１３とを共に圧搾して形成されており、トップシート１４の一部の繊維が吸収体１３の表面繊維とかみ合い、しっかりと固定されている。凹部底面２２ａにおける吸収部分の厚さは、圧搾しない場合の厚さの約１／６である。圧搾による吸収体の圧縮は、圧搾しない場合の厚さの約１／３〜１／７程度の厚さにするのが望ましい。そして、この凹部２２の周囲の凹んだ空間２３の吸収部分の厚さは、圧搾しない場合の厚さの約１／４．５程度である。
【００３８】
したがって、吸収体１３は、圧縮され、密度が高い高密度部１３Ａ、すなわち凹部２２の底面２２ａ部分と、密度が低い低密度部１３Ｃ、すなわち、エンボスパターンがない部分２４と、密度が中程度の中密度部１３Ｂ、すなわち、凹部２２及び流路２１の壁面部分との３部分に分けられる。ここで、中密度部１３Ｂは具体的には、均一の密度ではなく、底面２２ａからエンボスパターンがない部分２４まで漸次密度が低くなっていく、密度変化部分と見るのがより適当である。図６は、吸収体１３の圧縮密度に応じて色を変化させており、凹部２２の底面２２ａ付近の黒い部分が徐々に薄くなっていくように、圧縮密度は、主吸収領域（平坦区画）２４に向かって徐々に変化している。
【００３９】
また、吸収体１３の密度は主にパルプ繊維密度が関与している。したがって、高密度部１３Ａはパルプが圧縮され、パルプ間の隙間が少ない状態である一方、低密度部１３Ｃは、パルプ間の隙間が高密度部１３Ａに比べて多い状態である。
【００４０】
加えて、凹部２２は、合成繊維であるトップシート１４と主成分がパルプの吸収体１３とをともに圧縮接合して形成されているので、凹部２２の底面２２ａは、フィルム状となって液をほとんど吸収せず、液が流れ走る。この流れにおいて、流路２１中の液は、凹部底面２２ａでは吸収されず、壁面のトップシート１４を伝って中密度部１３Ｂへ浸透する。中密度部１３Ｂは吸収体密度が変化する領域なので、吸収体１３の空隙で確保できない液が、より空隙の大きい方、すなわち密度の低い方へ流れ込む。このようにして、液は中密度部１３Ｂから低密度部１３Ｃへ進み、平坦区画２４内へ吸収されていく。
【００４１】
また、流路２１内の底面では、凹部２２間に位置し、凹部２２の圧縮に伴い押し下げられた凹んだ空間２３との、吸収体１３の圧縮密度が異なる部分が交互に出現することにより、液が流れ進むとともに、凹んだ空間２３からは液が吸収される。
【００４２】
したがって、排出された液体は、流路２１を液が流れ走ることによる表層でのすばやい拡散と、吸収体１３の内部に浸透し、吸収体１３の繊維を伝ってゆっくりと進行する遅い拡散とによって、吸収部分内を広がっていく。このように、流路２１を単に吸収体１３のみを圧搾して形成するのではなく、合成繊維であるトップシート１４と共に圧搾し底面２２ａをフィルム状にすることで、流路２１はしっかりとしたものになり、荷重によりつぶれることが抑制される。そして、底面２２ａがフィルム状で液をほとんど吸収しないので、液吸収による膨張で流路２１がふさがることがなく、拡散性が向上する。
【００４３】
排尿部位に面した股下部分Ｍ２から、すばやく遠くへ液を拡散させるためには、流路２１が四方八方に広がる方が望ましい。本実施形態では、図４に示すように股下部分Ｍ２から流路２１が吸収体１３の長手方向に帯状に伸びていることにより、液をすばやく吸収部分の腹側、背側に移動させることができる。
【００４４】
一方で、排尿は一度に多量の尿が排出されるので、流路２１による拡散だけでは十分でなく、主吸収領域である平坦区画２４で吸収しなければならない。しかしながら、上述したように、吸収体１３にはＳＡＰが含まれているため、液体を吸収すると、ＳＡＰが膨らみ、膨らんだＳＡＰ同士が結合することにより、吸収体１３がゲル化する。ゲル化した部分は、このゲルが壁となってその先に位置する吸収体への液の透過を阻止してしまう。したがって、平坦区画２４があまり狭いと区画内の吸収体１３全てがゲル化してしまい、隣接する平坦区画２４への液の吸収体１３内部での拡散、すなわち、吸収体１３による遅い拡散が滞ってしまうこととなる。
【００４５】
したがって、平坦区画２４ひとつの面積は、０．５ｃｍ２以上５０．０ｃｍ２であるのが好ましい。さらに好ましくは、２ｃｍ２以上１８ｃｍ２以下の範囲にあるのが好ましい。この面積の範囲を実現するには、図５に示す平坦区画２４の対角線Ｌ１の長さが２＜Ｌ１＜６となる。この大きさであると、平坦区画２４それぞれを活用できるとともに、排尿部位だけに尿が滞らない。
【００４６】
平坦区画２４ひとつの面積が２ｃｍ２以下であると、流路２１の間隔が狭いため、平坦区画２４に比べて硬い肌触りの流路２１が肌にあたって使用者が不快感を感じる。また、股下部分Ｍ２部分の平坦区画２４の区画内全ての吸収体がゲル化してしまい、それ以上の尿を吸収できなくなるとともに、ゲルブロックとなって、隣接する吸収体１３への遅い拡散を滞らせてしまうこととなる。
【００４７】
一方で、平坦区画２４ひとつの面積があまりに大きいと、流路２１による拡散が粗く、平坦区画２４一区画を十分に活用できない部分が多くなり、吸収体１３を効率的に利用できないので望ましくない。
【００４８】
また、流路２１による拡散をより効率的にするために、本実施形態では、流路の交点２１Ｄには、凹部２２が位置しないようにしている（図５、図７参照。）。流路の交点２１Ｄは、四つの平坦区画（主吸収領域）２４に面することとなるため、この交点２１Ｄから各平坦区画２４へ液が流れ込めば、拡散効果が大きい。そこで、この交点２１Ｄには、凹部２２を設けないようにして、より液が主吸収領域（平坦区画）２４へ吸収されやすい環境にする。すなわち、図７に示すように、交点２１Ｄは、凹部以外の部分２３であるため、凹部２２の底面２２ａに比べて吸収体の圧縮密度が低く、液を吸収することとなる。したがって、交点２１Ｄに到達した液は、矢印Ａに示すように、交点２１Ｄに面する主吸収領域（平坦区画）２４に拡散する。交点２１Ｄは、主吸収領域（平坦区画）２４が四つ面しているので、広域ですばやく拡散され吸収することができる。また、隣接する主吸収領域（平坦区画）２４同士も交点２１Ｄ部分では凹部２２によって分離されていないので、吸収体１３による液の吸収拡散が期待できる。
【００４９】
つまり、交点２１Ｄといった複数の主吸収領域（平坦区画）２４に面している部分では、液を四方にすばやく拡散吸収させることにより、各吸収領域２４を有効に活用することができる。図４に示すように、主吸収領域（平坦区画）２４は少なくとも一辺、ほとんどは四辺を流路２１に取り囲まれている。主吸収領域（平坦区画）２４内には、流路２１の壁面である中密度部１３Ｂから液が移動していく。加えてこの交点２１Ｄからも液が進入するとなると、液の進入箇所を増やすことができ、主吸収領域（平坦区画）２４に多方向から液が進入すると、主吸収領域（平坦区画）２４全体を有効に活用することができる。
【００５０】
上述したように、吸収部分を流路２１によって複数の平坦区画２４に区画することにより、液拡散性が向上するとともに、液漏れしない吸収性は維持できるので、１回の排尿で排尿部位付近の吸収体１３が大きく膨らんで、吸収体１３全体の吸収力はまだあるにもかかわらず、交換されてしまうことを抑制できる。
【００５１】
すなわち、おむつの吸収体１３の全域に、流路２１を張り巡らせることにより、排尿部位から、流路２１を伝ってすばやく、吸収体１３全体に尿を拡散させる。また、この流路２１は、トップシート１４と吸収体１３とを共に圧搾し、底面の少なくとも一部をフィルム状としたもので、底面は液を吸収しにくいので、吸収体のみを圧搾したもののように、液を吸って膨らんだ吸収体によって流路がふさがることがない。
【００５２】
また、吸収体１３を介した遅い拡散との２層の拡散構造とすることにより、吸収体１３の厚さ方向全体を使った拡散を実現する。加えて、流路２１内（つまり上層）の液拡散速度は、吸収体１３内（つまり下層）の液拡散速度よりも格段に速い。したがって、流路２１を使って、液をすばやく移動させ、特定箇所に大量に留まってしまうことを防ぐ。一方で、１回の排尿による多量の尿を、おむつから漏れないようにすばやく吸収する必要がある。主吸収領域である平坦区画２４の一区画を所定の面積とすることで、多量の尿をすばやく吸収するとともに、区画内の吸収体全てがゲル化してゲルブロックとなることを防ぎ、隣接する平坦区画への吸収体を介した拡散作用を維持する。
【００５３】
加えて、分岐点である交点２１Ｄには、凹部２２を設けないことにより、交点２１Ｄに隣接する四つの主吸収領域（平坦区画）２４に尿がすばやく吸収されることとなる。
【００５４】
なお、図４に戻り、本実施形態の流路２１は、吸収体の幅方向における、一方側（図中、向かって右側）に傾斜して延びる第１流路２１ａと、他方側（図中、向かって左側）に傾斜して延びる複数の第２流路２１ｂとによって構成される。具体的には、図４に示すように、流路２１は、仮想線Ｐ（この場合、吸収体１３長手方向）に対して傾斜して延びる。すなわち、仮想線Ｐを軸として、第１流路２１ａは、一方側に角度αで傾斜し、第２流路２１ｂは、他方側に角度βで傾斜する。角度αと角度βは同一であってもよいし、異なっていてもよい。また、図４では、複数の第１流路２１ａはそれぞれ同じ角度で傾斜し、一定間隔で配置されている。すなわち、各第１流路２１ａが平行かつ一定間隔で配置されている。しかしながら、本発明はこれに限らず、平坦区画２４が所定の面積を確保できる範囲で、溝の間隔が一定でないものや、各溝の傾斜角度が異なるものも含む。第２流路２１ｂについても同様である。
【００５５】
なお、吸収体１３は細長い形状に限らず、正方形など縦横の長さが同じものであってもよい。この場合も、側辺に沿った方向に対して、第１溝２１ａ、第２溝２１ｂは傾斜して延びるものである。
【００５６】
また、流路２１はおむつの端部までは延びていない。おむつの端部にまで流路２１を設けると、そこから液漏れを起こす可能性があり好ましくない。そこでおむつの各端部、すなわち、足回り開口部１０Ｌ、胴回り開口部１０Ｗには設けない。したがって、図４では、吸収体１３の幅方向両端部は、流路非形成領域Ｎ２であり、中央部に仮想線Ｐで示す長手方向の一方端から他方端に向かって帯状に流路形成領域Ｎ１が延びている。また、長手方向両端部にも流路２１が到達しないようにしている。このように吸収体１３端部に流路２１を設けないことにより、流路２１を伝った液漏れを確実に防止する。
【００５７】
次に流路パターンの具体的な大きさについて、説明する。
【００５８】
図４に示すように、本実施例の流路パターンは、ドット状の凹部２２を連ねた格子状であり、１つの枡の対角線Ｑ１（図５に示すＬ１にほぼ相当する）の長さは４２．４ｍｍ（４．２４ｃｍ）となるように流路２１が配置されている。また、図５に示すように、凹部２２の直径Ｑ２は２．０ｍｍ、凹部２２の配列間隔Ｑ３（隣接凹部２２中心間の距離）は、２．０ｍｍである。また、交点２１Ｄにおける隣接凹部２２中心間の距離Ｑ４は６．０ｍｍである。
【００５９】
エンボス加工をする前の吸収体１３とトップシート１２との厚さは、８．０ｍｍであり、図６に示すように、凹部２２の深さＱ５は、約５．０ｍｍである。
【００６０】
なお、エンボス加工前の吸収体１３とトップシート１２との厚さは、５．０ｍｍ〜２０．０ｍｍが好ましい。また、この吸収体１３とトップシート１２の構成に対しては、凹部２２の直径Ｑ２は、１．０ｍｍ〜４．０ｍｍが好ましく、配列間隔Ｑ３は、１．０ｍｍ〜９．０ｍｍが好ましく、深さＱ５は、２．０ｍｍ〜１０．０ｍｍが好ましい。また、交点２１Ｄにおける隣接凹部２２中心間の距離Ｑ４は、２．０ｍｍ〜１２．０ｍｍが好ましい。
【００６１】
（変形例）
実施形態１では、流路２１は、凹部２２を間欠的に配置したエンボスパターンであったが、本発明はこれに限らず、凹部２２が連続する、すなわち連続したエンボス加工による流路２１であってもよい。
【００６２】
流路２１は、斜め格子状だけでなく、図８に示すようにハニカム状であってもよい（変形例１）。この場合においても、各流路２１で取り囲まれる平坦区画２４の面積は、０．５ｃｍ２以上５０．０ｃｍ２以下である。
【００６３】
また、実施形態１及び変形例１は、流路２１の交点部分に凹部２２を設けないものであるが、本発明はこれに限らず、凹部２２を設けたものであってもよい。
【００６４】
また、図９に示すように、流路２１は直線に限らず曲線であってもよい（変形例２）。  このように、流路２１を斜め格子状だけでなく、ハニカム状や曲線状とすることにより、流路２１の加工によるデザイン的効果も得られ、美観が向上する。
【００６５】
さらに、凹部２２は、円形のドットだけでなく、半円形、四辺形、三角形など、様々な形を用いることができる。
【００６６】
加えて、吸収体１３の上に直接、トップシート１４を配したものだけでなく、吸収体１３を親水性シートによってくるんだ後、トップシート１４を配したものであってもよい。また、図１０に示すように、トップシート１４と親水性シート１３Ｓとの間に、液拡散性を向上させる液拡散シート１３Ｔを設けてもよい。また、液拡散シート１３Ｔの位置は、親水性シート１３Ｓと吸収体１３との間であってもよい。このシートにより、体液はより拡散しやすくなる。
【００６７】
なお、図２におけるおむつを着用した下半身姿は、立っている状態を示しているが、本発明は、立って歩行する場合のみを対象とするものではなく、寝返りや赤ちゃんのハイハイなど脚の前後運動全般に対して、作用効果を発揮するものである。
【００６８】
本発明が対象とするおむつ１０の構造は、上述したようなパンツ型に限定されるわけではなく、特許請求の範囲に規定された吸収性物品の構成を含むおむつでありさえすれば、どのような構成であってもよい。例えば、周知の展開型の使い捨ておむつや、尿漏れパッドなどであっても本発明を適用可能である。
【００６９】
加えて、本発明は、乳幼児向けのおむつに限らず、成人向けおむつ、尿漏れパッドなど、各種吸収性物品に適用可能である。
【符号の説明】
【００７０】
１０  使い捨ておむつ
１０Ａ  ファスニングテープ
１０Ｂ  フロントパッチシート
１０Ｆ  前身頃領域
１０Ｒ  後身頃領域
１０Ｃ  股下領域
１０Ｗ  ウエスト周り開口部
１０Ｌ  脚周り開口部
１１  カバーシート
１１Ａ  切欠き部
１１Ｂ  インナーカバーシート
１１Ｃ  アウターカバーシート
１２  バックシート（裏面シート）
１３  吸収体
１３Ｓ  親水性シート
１３Ｔ  液拡散シート
１４  トップシート（表面シート）
１５  糸ゴム
１８  サイドシート
２１  流路
２１ａ  第１流路
２１ｂ  第２流路
２２  凹部
２２ａ  凹部の底面
２３  流路における凹部以外の部分
２４  平坦区画（主吸収領域）
【図１】
2016106992.tif 000003
【図２】
2016106992.tif 000004
【図３】
2016106992.tif 000005
【図４】
2016106992.tif 000006
【図５】
2016106992.tif 000007
【図７】
2016106992.tif 000008
【図８】
2016106992.tif 000009
【図９】
2016106992.tif 000010
【図６】
2016106992.tif 000011
【図１０】
2016106992.tif 000012